(57)【特許請求の範囲】
【請求項１】
装置の運転を制御する制御盤に取り付けて、上記装置の点検または補修・改修を行う際に、装置の運転を維持するために制御回路を断つものであって、
正面に上記装置に異常が発生したとき点滅する警報ランプを設けるとともに切換操作窓を開口し、該切換操作窓の奥に上記１または２以上の制御回路を維持する「正常」と、断って上記装置を制御回路を経ずして運転可能状態とする「ロック」とに切り換える切換スイッチを取り付け、該切換スイッチの前面に上記切換操作窓を塞ぐシャッターを設け、該シャッターを上記切換スイッチが「ロック」に切り換わっているときに上記警報ランプが点滅すると自動的に開不能とするシャッター錠を設けたことを特徴とする制御盤用ロックスイッチ。
【発明の詳細な説明】
【０００１】
【産業上の利用分野】
この発明は、種々の装置の運転系統の点検や補修・改修を行う際に、装置の運転を停止させることなく実施するための、制御盤用ロックスイッチに関するものである。
【０００２】
【従来の技術】
従来、産業界で使用されている種々の装置の運転系統の点検や補修・改修を行う際に、装置の運転を停止するとその影響が極めて大きい場合、例えば電力会社の発電装置や変電装置等においては、運転を停止することなく行うことが必要であり、従来は制御回路をＯＦＦして装置を稼働状態にロックするために制御盤（ＣＢ）の各回路毎に設けられている図６に示すロック端子（ＲＴ）を人手により取り外していたものである。
【０００３】
【発明が解決しようとする課題】
この従来のロック端子（ＲＴ）は活線であるから、これを取り外すためには電圧計で電圧を測定して安全を確かめるなど感電を防止する事前の作業が必要であったり、複数の回路毎に設けてあるこのロック端子（ＲＴ）をそれぞれ個別に取り外さねばならない等の面倒さがあった。
【０００４】
本発明は、上記した従来の問題点を解消して、事前の安全確認の必要がなく、かつ複数の制御回路があっても一括して装置を稼働状態にロックすることができるとともに、点検または補修・改修工事中に何らかの事故が発生して警報ランプが点滅した場合に、あわてて装置の運転状態を解くことのない安全手段を備えている制御盤用ロックスイッチを提供すること目的とするものである。
【０００５】
【課題を解決するための手段】
上記の目的を達するためのこの発明は、装置の運転を制御する制御盤に取り付けて、上記装置の点検または補修・改修を行う際に、装置の運転を維持するために制御回路を断つものであって、正面に上記装置に異常が発生したとき点滅する警報ランプを設けるとともに切換操作窓を開口し、この切換操作窓の奥に上記１または２以上の制御回路を維持する「常時」と、断って上記装置を制御回路を経ずして運転可能状態とする「ロック」とに切り換える切換スイッチを取り付け、この切換スイッチの前面に上記切換操作窓を塞ぐシャッターを設け、このシャッターを上記切換スイッチが「ロック」に切り換わっているときに上記警報ランプが点滅すると自動的に開不能とするシャッター錠を設けた制御盤用ロックスイッチである。
【０００６】
【作用】
本発明によると、切換スイッチを「常時」から「ロック」に切り換えるのみで全ての制御回路が断たれて、装置は制御回路を経ずして運転可能状態となる。
従って面倒な従来のロック端子（ＲＴ）を取り外す必要がなく、その取り外し作業中の感電の危険もなくなる。
【０００７】
また、切換スイッチが「ロック」に切り換わっているときに装置の異常を知らせる警報ランプが点滅すると、切換スイッチを塞ぐシャッターを開不能として、あわてて切換スイッチを誤操作により「常時」に切り換えて、装置を停止させる過ちを防ぐことができる。
【０００８】
【実施例】
以下この発明を例示図面を参照して詳細説明すると、この制御盤用ロックスイッチ（ＲＳ）は図５に示す如く制御盤（ＣＢ）の正面に取り付けられるものであって、図１は本発明ロックスイッチの正面、図２は同じく一部欠截した右側面、図３は図２のＡ−Ｂ線における断面、図４は配線を示すもので、（１）はスイッチ本体で、背面上部に配線ボックス（２）が取り付けられ、正面には４系統の制御回路毎に設けた警報ランプ（３）が取り付けてあって、これら制御回路に属する装置に異常が発生したときに、該当する警報ランプ（３）が点滅して異常の発生を警報するもので、この警報回路にブザー（図示省略）を併設して警報ランプ（３）の点滅とブザーとの併用警報とする場合もある。
【０００９】
（４）は切換操作窓で、スイッチ本体（１）の正面に開口しており、この切換操作窓（４）の内部に切換スイッチ（５）が、制御回路を維持する「常時」と、制御回路を断って装置を制御回路を経ずして運転可能状態とする「ロック」に切り換える操作部（６）を開閉操作窓（４）に対応させ、結線部（７）をスイッチ本体（１）の背後に突出させて取り付けてある。
【００１０】
（８）はシャッターで、透明な合成樹脂からなり、下辺に前方に折れ曲がった開閉つまみ（９）を形成しており、この開閉つまみ（９）を切換操作窓（４）に突出させて、切換操作窓（４）を内側から塞ぎ、両側辺がスイッチ本体（１）の正面の裏側の切換操作窓（４）の両側辺に沿って取り付けてあるシャッターガイド（１０），（１０）に案内され昇降して開閉可能に設けてある。
【００１１】
（１１）はシャッター錠で、図３に示す如くソレノイド（１２）と、施錠片（１３）と、この施錠片（１３）に固着されている施錠突起（１４）と、施錠片（１３）を平常時に引き戻しているスプリング（１５）とからなっており、切換スイッチ（５）が「ロック」側に切り換わっている状態で警報ランプ（３）が点滅すると、ソレノイド（１２）に電流が流れて施錠片（１３）を磁力により吸引し、仮想線にて示す如く施錠突起（１４）がシャッター（８）の上辺上部に位置して、このシャッター（８）を開不能に施錠する。
【００１２】
こうしてシャッター（８）を開不能に施錠すると、装置の点検または補修中に警報ランプ（３）が点滅して事故発生を警報したとき、あわてて切換スイッチ（５）を「常時」側に切り換えて、装置のロック状態を解き、装置を停止させることのないようにするための安全装置としての機能を果たすことができる。
【００１３】
（１６），（１７）は表示ランプで、切換スイッチ（５）が「常時」側のとき緑色の表示ランプ（１６）が点灯し、「ロック」側のとき赤色の表示ランプ（１７）が点灯する。
【００１４】
次に図４に示す発電所の油圧装置を制御する制御盤（ＣＢ）に適用する場合の配線図について説明する。
この配線図はＤＣ１００Ｖを電源とする回路であって、油圧装置の点検または部分的補修等のために制御回路を一次的に遮断して、油圧装置を制御回路を経ずして運転可能状態とするために、切換スイッチ（５）を「ロック」側に切り換えている状態を示している。
【００１５】
（１８）は制御回路で、４系統からなる。
（１９）は警報回路で、４系統の制御回路（１８）のそれぞれに連なり、これら４系統の制御に係わる油圧装置に異常が発生したときに警報を発する回路である。
（２０）は切換表示回路で、切換スイッチ（５）が「正常」か「ロック」のどちらに切り換わっているかを示すものである。
（２１）はシャッター錠回路で、ソレノイド（１２）に通電する回路である。
【００１６】
（２２），（２３），（２４），（２５）は切換スイッチ（５）の接点で、（２２）は制御回路（１８）用、（２３）は切換表示回路（２０）の「常時」用、（２４）は同じく切換表示回路（２０）の「ロック」用、（２５）はシャッター錠回路（２１）用である。
（２６）はリレー接点で、４系統の警報回路（１９）の、本発明ロックスイッチ（ＲＳ）に到る回路の中途に設けられていて、これら警報回路に係わる油圧装置に何らかの障害が発生したときにＯＮして警報ランプ（３）を点滅させるものである。
【００１７】
（２７）は抵抗で、４個の警報ランプ（３）と２個の表示ランプ（１６），（１７）用の電圧２４Ｖを得るためのものである。
（２８）はダイオードで、シャッター錠回路（２１）に介在してソレノイド（１２）により生じる外部機器に対するサージ、ノイズ等の悪影響を防止するためのものである。
（２９）はネームプレートを示す。
【００１８】
図４の状態は切換スイッチ（５）の４系統の制御回路用接点（２２）が全部ＯＦＦして、油圧装置はすべて制御系統を経ずして運転可能状態にあり、さらに切換表示回路の「常時」用接点（２３）がＯＦＦ、「ロック」用接点（２４）がＯＮしており、「ロック」側の赤色の表示ランプ（１７）が点灯して、透明なシャッター（８）から透視することができるとともに、シャッター錠回路用接点（２５）がＯＮしているが、このシャッター錠回路（２１）は４系統の警報回路（１９）を経由しており、図示の状態ではこの警報回路（１９）はリレー接点（２６）により断たれているためソレノイド（１２）は作動可能な状態で待機しており、通電していない。
【００１９】
この状態で４系統の制御回路（１８）の何れかに係わる油圧装置に異常が発生すると、その制御回路（１８）と連通する警報回路（１９）のリレー接点（２６）がＯＮして警報回路（１９）が通じ、その警報回路の警報ランプ（３）が点滅して警告すると同時にソレノイド（１２）が作動して図３に仮想線で示す如く施錠片（１３）を磁力により吸引し施錠突起（１４）をシャッター（８）の上辺上方に移動させてシャッター（８）を開不能に施錠するものである。
【００２０】
かくして、異常状態が確認され、対策が施されて正常状態に復帰すると、リレー接点（２６）がＯＦＦして警報ランプ（３）の点滅が消えるとシャッター錠回路（２１）も断たれるからソレノイド（１２）がＯＦＦされてスプリング（１５）により施錠片（１３）を図３の実線で示す状態に引き戻し施錠突起（１４）がシャッター（８）の上辺上方から退去して施錠を解き、シャッター（８）を開閉自在に解放する。
【００２１】
なお、図４の状態から切換スイッチ（５）を「常時」側に切り換えると、制御回路用接点（２２）がＯＮして制御回路（１８）が通じ、切換表示回路の「常時」用接点（２３）がＯＮし「ロック」用接点（２４）がＯＦＦして、緑色の表示ランプ（１６）が点灯し赤色の表示ランプ（１７）は消え、シャッター錠回路用接点（２５）がＯＦＦしてシャッター錠（１１）は警報回路（１９）が通じても作動することなくシャッター（８）は開閉自在となる。
【００２２】
【発明の効果】
以上説明したこの発明に係わる制御盤用ロックスイッチによれば、装置の保守点検や部分的な補修・改修を行う場合に、切換スイッチを「ロック」に切り換えるだけの簡単な操作のみで制御回路を断って装置を稼働状態にロックすることができて、従来の手数がかかり、感電のおそれのあるロック端子（ＲＴ）を取り外す必要がなく、しかも切り換えスイッチが「ロック」に切り換わっているときに警報ランプが点滅すると切換スイッチを操作不能にさえぎるシャッターを設けたことにより、装置に何らかの異常が発生したときあわてて切換スイッチを切り換えて装置の稼働状態を停止させる過ちを未然に防止することができる、実用上極めて便利な効果を奏するものである。
【図面の簡単な説明】
【図１】本発明制御盤用ロックスイッチの一例を示す正面図である。
【図２】同じく一部欠截右側面図である。
【図３】図２のＡ−Ｂ線における部分断面図である。
【図４】本発明制御盤用ロックスイッチの一例を示す配線図である。
【図５】本発明制御盤用ロックスイッチを取り付けた制御盤の正面図である。
【図６】従来のロック端子を備えた制御盤の正面図である。
【符号の説明】
１  スイッチ本体
３  警報ランプ
４  切換操作窓
５  切換スイッチ
６  操作部
７  結線部
８  シャッター
１１  シャッター錠
１２  ソレノイド
１６  表示ランプ
１７  表示ランプ
【図１】
0003613738.tif 000002
【図２】
0003613738.tif 000003
【図３】
0003613738.tif 000004
【図４】
0003613738.tif 000005
【図５】
0003613738.tif 000006
【図６】
0003613738.tif 000007